(57)【要約】      （修正有）【課題】再生可能エネルギーを活用した発電設備における予測された発電量に対して、その誤差を正確に予測できる発電量予測装置、発電量予測方法、プログラムを提供する。【解決手段】過去の所定の第１時間において計測された複数の第１発電量と、第１時間において計測された気象状態を示す複数の第１気象情報とに基づいて回帰式を作成する回帰分析部と、現在において計測された気象情報を示す第２気象情報と近似する過去の所定の第２時間において計測された気象状態を示す複数の第３気象情報を取得する取得部と、第３気象情報と、回帰式と、に基づいて、第２時間において予測された複数の第２発電量を算出する第１予測部と、第２発電量と第２時間において計測された第３発電量との差を示す誤差を算出するとともに、将来の所定の将来時間において予測される第４発電量に対する第１誤差として算出する誤差算出部を備える。【選択図】図２
2018207669.tif 000002
【特許請求の範囲】
【請求項１】
過去の所定の第１時間において計測された複数の第１発電量と、前記第１時間において計測された気象状態を示す複数の第１気象情報と、に基づいて回帰式を作成する回帰分析部と、
現在において計測された気象情報を示す第２気象情報と近似する、過去の所定の第２時間において計測された気象状態を示す複数の第３気象情報を取得する取得部と、
前記第３気象情報と、前記回帰式と、に基づいて、前記第２時間において予測された複数の第２発電量を算出する第１予測部と、
前記第２発電量と、前記第２時間において計測された第３発電量と、の差を示す誤差を算出するとともに、算出された複数の前記誤差を絶対値の最も小さい値から大きい値になる方向に加算したときの前記誤差の数が、前記誤差の総数に対して、所定の割合を示すときの前記誤差の値を、将来の所定の将来時間において予測される第４発電量に対する第１誤差として算出する誤差算出部
を備えることを特徴とする発電量予測装置。
【請求項２】
前記回帰式と、前記将来時間における気象状態を示す第４気象情報と、に基づいて、前記将来時間における第４発電量を算出するとともに、前記第４発電量に前記第１誤差を加算して第５発電量を算出する第２予測部と、
を備えることを特徴とする請求項１に記載の発電量予測装置。
【請求項３】
前記第１気象情報、前記第２気象情報および前記第３気象情報には、少なくとも日射量に関する情報が含まれている
ことを特徴とする請求項１又は請求項２に記載の発電量予測装置。
【請求項４】
前記第１気象情報、前記第２気象情報および前記第３気象情報には、少なくとも風速に関する情報が含まれている
ことを特徴とする請求項１又は請求項２に記載の発電量予測装置。
【請求項５】
前記第４発電量と、前記第１誤差と、を組み合わせてグラフを作成するグラフ作成部
をさらに備えることを特徴とする請求項１乃至請求項４の何れか一項に記載の発電量予測装置。
【請求項６】
過去の所定の第１時間において計測された複数の第１発電量と、前記第１時間において計測された気象状態を示す複数の第１気象情報と、に基づいて回帰式を作成し、
現在において計測された気象情報を示す第２気象情報と近似する、過去の所定の第２時間において計測された気象状態を示す複数の第３気象情報を取得し、
前記第３気象情報と、前記回帰式と、に基づいて、前記第２時間において予測された複数の第２発電量を算出し、
前記第２発電量と、前記第２時間において計測された第３発電量と、の差を示す誤差を算出するとともに、算出された複数の前記誤差を絶対値の最も小さい値から大きい値になる方向に加算したときの前記誤差の数が、前記誤差の総数に対して、所定の割合を示すときの前記誤差の値を、将来の所定の将来時間において予測される第４発電量に対する第１誤差として算出する
ことを特徴とする発電量予測方法。
【請求項７】
発電量予測装置に、
過去の所定の第１時間において計測された複数の第１発電量と、前記第１時間において計測された気象状態を示す複数の第１気象情報と、に基づいて回帰式を作成する機能と、
現在において計測された気象情報を示す第２気象情報と近似する、過去の所定の第２時間において計測された気象状態を示す複数の第３気象情報を取得する機能と、
前記第３気象情報と、前記回帰式と、に基づいて、前記第２時間において予測された複数の第２発電量を算出する機能と、
前記第２発電量と、前記第２時間において計測された第３発電量と、の差を示す誤差を算出するとともに、算出された複数の前記誤差を絶対値の最も小さい値から大きい値になる方向に加算したときの前記誤差の数が、前記誤差の総数に対して、所定の割合を示すときの前記誤差の値を、将来の所定の将来時間において予測される第４発電量に対する第１誤差として算出する機能と、
を実行させるプログラム。
【発明の詳細な説明】
【技術分野】
【０００１】
本発明は、発電量予測装置、発電量予測方法、プログラムに関する。
【背景技術】
【０００２】
例えば、日射量強度およびそのスプレッドを考慮して発電量を予測するシステムが知られている。（例えば特許文献１）。
【先行技術文献】
【特許文献】
【０００３】
【特許文献１】特開２０１５−１６７４３９号公報
【発明の概要】
【発明が解決しようとする課題】
【０００４】
特許文献１には、予測日射量強度およびそのスプレッドと、過去の実測日射強度と予測日射量強度との予測誤差と、の関係から信頼度あるいは信頼区間を算出し、発電量を予測するシステムが開示されている。当該システムは、先ず、異なる気象予報データを用いてアンサンブル予測を実行することで、予測日射強度のアンサンブル予測値とそのスプレッドを算出する。さらに、アンサンブル予測値およびそのスプレッドに基づいて、予測日射強度の予測信頼度および信頼区間を算出する。ここで、信頼区間は、予測日射強度と実際に観測された日射強度とを比較して算出される。つまり、特許文献１では、予測日射強度及びスプレッドから予測日射強度の予測信頼度を算出し、予測日射強度と現地で過去に実際に観測された実測日射強度とを比較することにより予測日射強度の信頼区間を算出し、発電量を予測するシステムが開示されています。
【０００５】
しかし、特許文献１に係るシステムでは、日射量強度およびそのスプレッドに基づいて、信頼度および信頼区間を算出しているため、特許文献１における太陽光発電設備などの再生可能エネルギー発電設備で実際に発電される発電量の誤差を正確に予測することができない虞があった。
【課題を解決するための手段】
【０００６】
前述した課題を解決する主たる本発明は、過去の所定の第１時間において計測された複数の第１発電量と、前記第１時間において計測された気象状態を示す複数の第１気象情報と、に基づいて回帰式を作成する回帰分析部と、現在において計測された気象情報を示す第２気象情報と近似する、過去の所定の第２時間において計測された気象状態を示す複数の第３気象情報を取得する取得部と、前記第３気象情報と、前記回帰式と、に基づいて、前記第２時間において予測された複数の第２発電量を算出する第１予測部と、前記第２発電量と、前記第２時間において計測された第３発電量と、の差を示す誤差を算出するとともに、算出された複数の前記誤差を絶対値の最も小さい値から大きい値になる方向に加算したときの前記誤差の数が、前記誤差の総数に対して、所定の割合を示すときの前記誤差の値を、将来の所定の将来時間において予測される第４発電量に対する第１誤差として算出する誤差算出部を備える。
【０００７】
本発明の他の特徴については、添付図面および本明細書の記載により明らかとなる。
【発明の効果】
【０００８】
本発明によれば、再生可能エネルギーを活用した発電設備における予測された発電量に対して、その誤差を正確に予測できる。該誤差を考慮することで、正確な系統電力の調整が可能となる。
【図面の簡単な説明】
【０００９】
【図１】本実施形態に係る発電量予測装置の概要の一例を示す図である。
【図２】本実施形態に係る発電量予測装置の構成の一例を示す図である。
【図３】本実施形態に係る誤差決定グラフの一例を示す図である。
【図４】本実施形態に係るグラフ格納テーブルの一例を示す図である。
【図５】本実施形態に係る過去情報テーブルの一例を示す図である。
【図６】本実施形態に係る回帰式情報テーブルの一例を示す図である。
【図７】本実施形態に係る抽出情報テーブルの一例を示す図である。
【図８】本実施形態に係る予測情報テーブルの一例を示す図である。
【図９】本実施形態に係る発電量予測装置の処理フローの一例を示す図である。
【発明を実施するための形態】
【００１０】
本明細書および添付図面の記載により、少なくとも以下の事項が明らかとなる。以下の説明において、同一符号を付した部分は同一の要素を表し、その基本的な構成および動作は同様であるものとする。
【００１１】
＝＝＝発電量予測装置１０＝＝＝
図１、図２を参照しつつ、発電量予測装置１０について以下のとおり説明する。図１は、本実施形態に係る発電量予測装置１０の概要の一例を示す図である。図２は、本実施形態に係る発電量予測装置１０の構成の一例を示す図である。
【００１２】
発電量予測装置１０は、過去に実績のある発電量に基づいて将来の発電量を予測する際に、電力量の誤差を算出し、予測される発電量のとり得る範囲を正確に予測する装置である。
【００１３】
発電量予測装置１０は、図１に示すように、通信ネットワーク１２０を介して気象庁データベース１１０および再生可能エネルギー発電設備（以下、「再エネ発電設備１００」と称する。）に接続される。発電量予測装置１０は、雲量、気温、風速、日射量などの気象に関する情報（以下、「気象情報」と称する。）を、気象庁データベース１１０から取得する。また、再エネ発電装置１００で発電される発電量（以下、「発電量」と称する。）に関する情報を、再エネ発電装置１００から取得する。
【００１４】
発電量予測装置１０は、気象情報および発電量に基づいて、将来の発電量を予測するとともに、予測された発電量の誤差を算出する。このような機能を有する発電量予測装置１０は、図２に示すように、演算処理部１１と、記憶部１２と、入力部１３と、出力部１４と、メモリ１５と、を有している。なお、演算処理部１１、記憶部１２、入力部１３、出力部１４およびメモリ１５の夫々は、通信可能に接続されている。
【００１５】
演算処理部１１は、例えばＣＰＵあるいはＭＰＵなどで構成されている。演算処理部１１は、メモリ１５に格納されているプログラムを読み込むことにより、各種機能を実現する。演算処理部１１は、回帰分析部１１ａと、取得部１１ｂと、第１予測部１１ｃと、誤差算出部１１ｄと、第２予測部１１ｅと、グラフ作成部１１ｆと、を有している。演算処理部１１は、記憶部１２から各種情報を読み出して、上述した各構成要素の処理を実行する。演算処理部１１の各構成要素については、詳細に後述する。
【００１６】
記憶部１２は、プログラムや各種情報を記憶する装置である。記憶部１２は、例えば、ＲＯＭ、ＲＡＭあるいはフラッシュメモリなどで構成されている。記憶部１２に格納される各種テーブルについては、詳細に後述する。
【００１７】
入力部１３は、通信ネットワーク１２０を介して気象情報や発電量情報などの各種情報が入力されるネットワークインターフェイスである。出力部１４は、通信ネットワーク１２０に各種情報が出力されるネットワークインターフェイスである。メモリ１５は、演算処理部１１が処理するためのプログラムを格納する装置である。メモリ１５は、例えば、ハードディスクドライブ、ＳＳＤあるいは光学式記憶装置などで構成されている。
【００１８】
＝＝演算処理部１１＝＝
図２、図３を参照しつつ、演算処理部１１について、以下のとおり詳細に説明する。図３は、本実施形態に係る基準誤差決定グラフの一例を示す図である。
【００１９】
演算処理部１１は、記憶部１２の各種テーブルを参照し、以下で述べる各種機能を実現する。図２に示すように、演算処理部１１は、上述したように、回帰分析部１１ａと、取得部１１ｂと、第１予測部１１ｃと、誤差算出部１１ｄと、第２予測部１１ｅと、グラフ作成部１１ｆと、を有している。
【００２０】
＜＜回帰分析部１１ａ＞＞
回帰分析部１１ａは、各種情報に基づいて回帰式を生成する機能を有する。回帰分析部１１ａは、過去の所定の時間（以下、「過去時間」と称する。）に計測された発電量（以下、「第１発電量」と称する。）と、過去時間に計測された気象情報（以下、「第１気象情報」と称する。）と、に基づいて回帰式を生成する。ただし、回帰式を生成するための気象情報には、再エネ発電設備１００が太陽光発電設備の場合は少なくとも日射量に関する情報が含まれていればよく、再エネ発電設備１００が風力発電設備の場合は少なくとも風速に関する情報が含まれていればよく、その情報項目が限定されるものではない。
【００２１】
ここで、第１気象情報とは、例えば、気象庁データベース１１０から通信ネットワーク１２０を介して取得する気象情報や、記憶部１２に予め記憶されている気象情報である。なお、所定の時間とは、期間と時刻の意味の両方を含むこととし、以下同様に説明する。
【００２２】
また、回帰式は、過去時間において予測された発電量（第２発電量）を算出するための式である。式（１）に示すように、第１発電量を“目的変数”とし、第１気象情報を“説明変数”として重回帰分析を実行する。
【００２３】
【数１】
2018207669.tif 000003
（但し、Ｇは目的変数（第１発電量）、Ａは回帰定数、Ｂ１〜Ｂ４は偏回帰係数、Ｘ１は雲量情報、Ｘ２は気温情報、Ｘ３は風速情報、Ｘ４は日射量情報を表す。）
なお、上記の重回帰分析に替えて最小二乗法またはベイズ推定法などを用いてもよい。
【００２４】
これにより、演算処理部１１は、第１回帰式を用いると、過去時間における気象情報に基づいて、過去時間における発電量を予測することができる。
【００２５】
＜＜取得部１１ｂ＞＞
取得部１１ｂは、現在において計測された気象情報（以下、「第２気象情報」と称する。）と近似する、過去において計測された気象情報（以下、「第３気象情報」と称する。）を取得する機能を有する。
【００２６】
取得部１１ｂは、第２気象情報および第３気象情報を記憶部１２の過去情報テーブル１２ａから読み込む。なお、第２気象情報と近似する第３気象情報とは、例えば、第２気象情報の各項目の値に対して、第３気象情報の各項目の値が１０％以内の相異に収まる気象情報である。ただし、近似しているか否かを判定する手法は、特に限定されるものではない。
【００２７】
＜＜第１予測部１１ｃ＞＞
第１予測部１１ｃは、第３気象情報を回帰式に代入して、過去の所定の時間において予測される発電量（以下、「第２発電量」と称する。）を算出する機能を有する。
【００２８】
第１予測部１１ｃは、第３気象情報および回帰式を、記憶部１２の抽出情報テーブル１２ｃおよび回帰式情報テーブル１２ｂから読み込む。第２発電量は、第３気象情報ごとに算出される。誤差の予測精度を向上させるために、算出される第２発電量のデータ個数は多いことが好ましい。これにより、現在時点の第２気象情報に略等しい過去の第３気象情報において予測される第２発電量が算出できるため、後述する誤差算出部１１ｄは、現在時点に近い気象状態に対する誤差を算出できる。なお、第２発電量が予測される過去の所定の時間（第２時間）は、第１発電量および第１気象情報が計測される過去時間（第１時間）と区別するように記載しているが、両者ともに、過去における時間であればよい。
【００２９】
＜＜誤差算出部１１ｄ＞＞
図３を参照しつつ、誤差算出部１１ｄについて、以下のとおり詳細に説明する。
【００３０】
誤差算出部１１ｄは、予測される発電量の誤差を算出する機能を有する。誤差算出部１１ｄは、第３気象情報および過去において計測された発電量（以下、「第３発電量」と称する。）を記憶部１２の抽出情報テーブル１２ｃから読み込む。第３発電量とは、第３気象情報において計測された発電量である。
【００３１】
誤差算出部１１ｄは、第２発電量と第３発電量の差（以下、「誤差」と称する。）を算出する。これにより、計測された発電量に対する予測された発電量の誤差が算出される。誤差算出部１１ｄは、複数の誤差の絶対値の最も小さい値から大きい値になる方向に加算したとき、誤差の数（データ個数）が誤差の総数（総データ個数）に対して所定の割合を示すときの誤差（以下、「第１誤差」と称する。）を特定する。
【００３２】
具体的に述べると、図３に示すように、所定の割合が７５％に設定される場合、“−４０〜＋４０”の値を示す第１誤差のデータ個数が第１誤差の総データ個数の７５％を示すため、＋側の第１誤差（以下、「＋第１誤差」と称する。）を“＋４０”と設定し、−側の第１誤差（以下、「−第１誤差」と称する。）を“−４０”と設定する。同様に、所定の割合が９５％に設定される場合、＋第１誤差を“＋６０”と設定し、−第１誤差を“−６０”と設定する。第１誤差を設定することで、予測する発電量の精度を決定できる。
【００３３】
つまり、誤差算出部１１ｄは、図４に示すように、後述する第４発電量に対する＋第１誤差および−第１誤差を算出する。これにより、系統電力を調整する発電設備（不図示）を調整する際に、再エネ発電設備１００で発電される発電量の上限（＋第１誤差）および下限（−第１誤差）を考慮できるため、より効率的に発電設備（不図示）を調整できる。
【００３４】
＜＜第２予測部１１ｅ＞＞
図４を参照しつつ、第２予測部１１ｅについて、以下のとおり詳細に説明する。
【００３５】
第２予測部１１ｅは、将来時間において、第１誤差を考慮した再エネ発電設備１００の発電量を予測する機能を有する。より具体的に述べると、第２予測部１１ｅは、回帰式に将来の所定の時間（以下、「将来時間」と称する。）に予測される気象情報（以下、「第４気象情報」と称する。）を代入して、将来時間に予測される発電量（以下、「第４発電量」と称する。）を算出する。そして、第４発電量に第１誤差を加算して、将来時間においてとり得る発電量（以下、「第５発電量」と称する。）を算出する。
【００３６】
ここで、第４発電量とは、回帰式に、記憶部１２の予測情報テーブル１２ｄから読み込む第４気象情報を代入して算出される発電量である。なお、第４発電量に関するデータは、第２予測部１１ｅにおいて算出される発電量に関するデータに限らず、例えば、発電量予測装置１０とは異なる外部の装置から取得する発電量に関するデータであってもよい。
【００３７】
また、第５発電量は、図４に示すように、第４発電量に＋第１誤差を加えた＋側の第５発電量と、第４発電量に−第１誤差を加えた−側の第５発電量と、を有する。図４では、第４発電量を中心として、＋第１誤差１と−第１誤差１との間を予測精度７５％として示し、＋第１誤差２と−第１誤差２との間を予測精度９５％として示す。
【００３８】
＜＜グラフ作成部１１ｆ＞＞
図４を参照しつつ、グラフ作成部１１ｆについて、以下のとおり説明する。
【００３９】
グラフ作成部１１ｆは、第５発電量をグラフ形式で表示する。グラフ作成部１１ｆは、不図示の表示部に、図４に示すようなグラフを表示させる。これにより、操作員は、視覚を通じて発電量の予測結果を容易に確認できる。
【００４０】
＝＝記憶部１２＝＝
記憶部１２は、演算処理部１１が処理を実行するための各種データを格納する機能を有する。記憶部１２は、過去情報テーブル１２ａと、回帰式情報テーブル１２ｂと、抽出情報テーブル１２ｃと、予測情報テーブル１２ｄと、グラフ格納テーブル１２ｅと、を格納している。
【００４１】
＜＜過去情報テーブル１２ａ＞＞
図５を参照しつつ、過去情報テーブル１２ａについて、以下のとおり説明する。図５は、本実施形態に係る過去情報テーブル１２ａの一例を示す図である。
【００４２】
過去情報テーブル１２ａは、通信ネットワーク１２０を介して気象庁データベース１１０および再エネ発電設備１００から受信する情報を格納するテーブルである。過去情報テーブル１２ａには、例えば過去１０年分の情報が１時間毎に記憶されている。演算処理部１１は、過去情報テーブル１２ａから各種情報を読み込んで、回帰式および誤差を算定する。
【００４３】
過去情報テーブル１２ａは、例えば、過去の所定の時間（第１時間，第２時間）を示す “日時”項目と、第１，第２気象情報に係る、雲の量が段階的に数値で入力される“雲量”項目と、大気の温度が入力される“気温”項目、風速が入力される“風速”項目と、全天日射量が入力される“日射量”項目と、第１発電量が入力される“第１発電量”項目と、を対応付けて格納している。
【００４４】
なお、過去情報テーブル１２ａの形式は、一例を示すものであり、演算処理部１１が参照可能なデータベース形式であればよい。また、過去情報テーブル１２ａに格納される項目は限定されるものではなく、該項目には発電量予測装置１０が回帰式を算出するために必要な項目が含まれていればよい。
【００４５】
＜＜回帰式情報テーブル１２ｂ＞＞
図６を参照しつつ、回帰式情報テーブル１２ｂについて、以下のとおり説明する。図６は、本実施形態に係る回帰式情報テーブル１２ｂの一例を示す図である。
【００４６】
回帰式情報テーブル１２ｂは、回帰分析部１１ａで生成された回帰式を格納するテーブルである。回帰式情報テーブル１２ｂは、回帰式における回帰定数および偏回帰係数が入力される“回帰式”項目を有する。なお、図６では、“回帰式”項目に各種係数のみを格納するように示しているが、回帰式が特定できるように格納していればよい。
【００４７】
＜＜抽出情報テーブル１２ｃ＞＞
図７を参照しつつ、抽出情報テーブル１２ｃについて、以下のとおり説明する。図７は、本実施形態に係る抽出情報テーブル１２ｃの一例を示す図である。
【００４８】
抽出情報テーブル１２ｃは、現在時点の第２気象情報と近似する第３気象情報と、それに対応する各種データを格納するテーブルである。抽出情報テーブル１２ｃは、例えば、過去の所定の時間（第２時間）を示す“日時”項目と、第３気象情報に係る、雲の量が段階的に数値で入力される“雲量”項目と、大気の温度が入力される“気温”項目、風速が入力される“風速”項目と、全天日射量が入力される“日射量”項目と、第３発電量が入力される“第３発電量”項目と、第２発電量が入力される“第２発電量”項目と、第３発電量と第２発電量との差を示す“誤差”項目と、を対応付けて格納している。“誤差”項目に格納される誤差により、図３に示すようなグラフを作成できる。
【００４９】
＜＜予測情報テーブル１２ｄ＞＞
図８を参照しつつ、予測情報テーブル１２ｄについて、以下のとおり詳細に説明する。図８は、本実施形態に係る予測情報テーブル１２ｄの一例を示す図である。
【００５０】
予測情報テーブル１２ｄは、第１誤差および該第１誤差を算出するための各種データを格納するテーブルである。また、予測情報テーブル１２ｄには、第５発電量と、該第５発電量に対応するグラフに関するデータが格納されている。演算処理部１１は、予測情報テーブル１２ｄから各種データを読み込んで、第１誤差および第５発電量を算出する。
【００５１】
予測情報テーブル１２ｄには、将来時間を示す “日時”項目と、第４気象情報である、雲の量が段階的に数値で入力される“雲量”項目と、大気の温度が入力される“気温”項目と、風速が入力される“風速”項目と、全天日射量が入力される“日射量”項目と、第４気象情報に対応する第４発電量が入力される“第４発電量”項目と、を対応付けて格納している。
【００５２】
さらに、＋第１誤差と−第１誤差が入力される“第１誤差”項目と、第４発電量に＋第１誤差と−第１誤差との夫々を加えた第５発電量が入力される“第５発電量”項目と、第５発電量に対応するグラフに関するデータを格納する“グラフ”項目と、を対応付けて格納している。
【００５３】
なお、予測情報テーブル１２ｄの形式は、一例を示すものであり、演算処理部１１が参照可能なデータベース形式であればよい。また、予測情報テーブル１２ｄに格納される項目は限定されるものではなく、該項目には発電量予測装置１０が第１誤差を算出するために必要な項目が含まれていればよい。
【００５４】
＝＝処理フロー＝＝
図９を参照しつつ、発電量予測装置１０の処理フローについて、以下のとおり詳細に説明する。図９は、本実施形態に係る発電量予測装置１０の処理フローの一例を示す図である。
【００５５】
操作員は、発電量予測装置１０を用いて将来時間における再エネ発電設備１００の発電量を予測する。このとき、操作員は、予測すべき将来時間を発電量予測装置１０に入力する。例えば、これを契機として、発電量予測装置１０は、以下の処理手順に示すように、指定された将来時間の発電量を算出する。発電量予測装置１０は、予め、気象庁データベース１１０および再エネ発電設備１００から過去における各種データを取得し、該各種情報を記憶部１２の過去情報テーブル１２ａに記憶している。
【００５６】
先ず、回帰分析部１１ａは、過去情報テーブル１２ａから第１発電量に関するデータおよび第１気象情報を読み込み、夫々の情報に基づいて回帰式を生成する（Ｓ１００）。回帰式の生成方法については、上述したとおりである。回帰分析部１１ａは、生成した回帰式に関するデータを回帰式情報テーブル１２ｂに格納する。
【００５７】
次に、取得部１１ｂは、過去情報テーブル１２ａから、現在時点の第２気象情報を読み込むとともに、第２気象情報と近似する第３気象情報を読み込む（Ｓ１０１）。これにより、現在時点の気象情報と略等しい気象情報を取得できる。取得部１１ｂは、読み込んだ第３気象情報を抽出情報テーブル１２ｃに格納する。
【００５８】
次に、第１予測部１１ｃは、回帰式情報テーブル１２ｂから回帰式に関するデータを読み込む。回帰式に第３気象情報を代入して、第２発電量を算出する（Ｓ１０２）。これにより、現在時点の気象情報に近い条件において、過去における発電量を予測できる。第１予測部１１ｃは、算出した第２発電量に関するデータを抽出情報テーブル１２ｃに格納する。
【００５９】
次に、誤差算出部１１ｄは、過去情報テーブル１２ａから第３気象情報に対応する第３発電量を読み込む（Ｓ１０３）。誤差算出部１１ｄは、第２発電量と第３発電量の誤差を算出する（Ｓ１０４）。これにより、現在時点の気象情報に近い条件において、計測された発電量と予測された発電量との誤差を算出できる。誤差算出部１１ｄは、第３発電量および誤差に関するデータを抽出情報テーブル１２ｃに格納する。
【００６０】
次に、誤差算出部１１ｄは、複数の誤差の絶対値の最も小さい値から大きい値になる方向に加算したとき、誤差の数（データ個数）が誤差の総数（総データ個数）に対して所定の割合を示す第１誤差（＋第１誤差および−第１誤差）を特定する（Ｓ１０５）。これにより、所望の精度範囲における１つあるいは複数の第１誤差を特定することができる。第１誤差を特定手法については、上述したとおりである。誤差算出部１１ｄは、第１誤差に関するデータを予測情報テーブル１２ｄに格納する。
【００６１】
次に、第２予測部１１ｅは、回帰式情報テーブル１２ｂから回帰式を読み込み、予測情報テーブル１２ｄから第４気象情報を読み込む。第２予測部１１ｅは、回帰式に第４気象情報を代入して、第４発電量を算出する（１０６）。さらに、第４発電量に＋第１誤差１を加えて＋側の第５発電量を算出し、第４発電量に−第１誤差１を加えて−側の第５発電量を算出する（Ｓ１０７）。また、同様に、第４発電量に＋第１誤差２および−第１誤差２を加えて、＋側および−側の第５発電量を算出する。これにより、将来時間において、予測される発電量の範囲を明確にできる。第２予測部１１ｅは、算出した第５発電量に関するデータを予測情報テーブル１２ｄに格納する。
【００６２】
次に、グラフ作成部１１ｆは、発電量予測部１１ｅで算出された第５発電量を、図４に示すように、グラフ化する（Ｓ１０８）。グラフ作成部１１ｆは、グラフ化したデータを予測情報テーブル１２ｄに格納して、処理を終了する。
【００６３】
＝＝＝まとめ＝＝＝
以上説明したように、本実施形態に係る発電量予測装置１０は、過去の所定の時間（第１時間）において計測された複数の第１発電量と、過去の所定の時間（第１時間）において計測された気象状態を示す複数の第１気象情報と、に基づいて回帰式を作成する回帰分析部１１ａと、現在において計測された気象情報を示す第２気象情報と近似する、過去の所定の時間（第２時間）において計測された気象状態を示す複数の第３気象情報を取得する取得部１１ｂと、第３気象情報と、回帰式と、に基づいて、過去の所定の時間（第２時間）において予測された複数の第２発電量を算出する第１予測部１１ｃと、第２発電量と、過去の所定の時間（第２時間）において計測された第３発電量と、の差を示す誤差を算出するとともに、算出された複数の誤差を絶対値の最も小さい値から大きい値になる方向に加算したときの誤差の数が、誤差の総数に対して、所定の割合を示すときの誤差の値を第１誤差とする誤差算出部１１ｄを備える。本実施形態によれば、再エネ発電設備１００の将来時間における予測する発電量のとり得る範囲を明確に把握することができるため、系統電力（不図示）を正確に調整することができる。
【００６４】
又、本実施形態に係る発電量予測装置１０は、回帰式と、将来の所定の将来時間における気象状態を示す第４気象情報と、に基づいて、将来時間における第４発電量を算出するとともに、第４発電量に第１誤差を加算して第５発電量を算出する第２予測部１１ｅと、を備える。本実施形態によれば、第１誤差のみならず、第１誤差を反映させた発電量を予測できるため、操作員の作業効率の向上を図ることができる。
【００６５】
又、本実施形態に係る発電量予測装置１０は、第１気象情報、第２気象情報および第３気象情報には、少なくとも日射量情報が含まれている。本実施形態によれば、太陽光発電設備に対して発電量を予測することができる。
【００６６】
又、本実施形態に係る発電量予測装置１０は、第１気象情報、第２気象情報および第３気象情報には、少なくとも風速情報が含まれている。本実施形態によれば、風力発電設備に対して発電量を予測することができる。
【００６７】
又、本実施形態に係る発電量予測装置１０は、第５発電量をグラフ化するグラフ作成部１１ｆをさらに備える。本実施形態によれば、操作員が視覚的に予測された発電量を確認できるため、操作性の向上が図れる。
【００６８】
＝＝＝その他の実施形態＝＝＝
上記において、演算処理部１１は、第２予測部１１ｅを有するとして説明したが、これに限定されない。演算処理部１１には、第２予測部１１ｅが含まれていなくてもよく、第１誤差を算出することができればよい。第２予測部１１ｅの機能は、発電量予測装置１０とは異なる装置により実現できればよい。
【００６９】
上記において、演算処理部１１は、グラフ作成部１１ｆを有するとして説明したが、これに限定されない。演算処理部１１にはグラフ作成部１１ｆが含まれていなくてもよく、発電量予測装置１０とは異なる装置によりグラフが作成できればよい。
【００７０】
上記において、第２気象情報は過去において計測された気象情報であるとして説明したが、これに限定されない。第２気象情報は、将来時間において予測される気象情報でもよい。この場合、取得部は、将来時間において予測された第２気象情報と近似する第３気象情報を取得する。これにより、誤差算出部１１ｄで算出される第１誤差は、将来時間における予測される誤差となる。
【００７１】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００７２】
１０  発電量予測装置
１１ａ  回帰分析部
１１ｂ  取得部
１１ｃ  第１予測部
１１ｄ  誤差算出部
１１ｅ  第２予測部
１１ｆ  グラフ作成部
１００  再エネ発電設備
【図１】
2018207669.tif 000004
【図２】
2018207669.tif 000005
【図３】
2018207669.tif 000006
【図４】
2018207669.tif 000007
【図５】
2018207669.tif 000008
【図６】
2018207669.tif 000009
【図７】
2018207669.tif 000010
【図８】
2018207669.tif 000011
【図９】
2018207669.tif 000012